(57)【要約】【課題】品目ごとの医療器材の分類を正確に管理できるようにする。【解決手段】コンピュータ読み取り可能な記憶装置２２は、医療器材ごとに固有の固有識別子が付された医療器材を品目に分類するための分類テーブル２７をデータとして記憶する。分類テーブル２７は、品目ごとに固有であるとともに、品目に属する医療器材に共通した品目識別子２７ａと、品目識別子２７ａに対応付けられているとともに品目に属する医療器材の固有識別子２７ｃと、から構成されている。【選択図】図３
2018036701.tif 000002
【特許請求の範囲】
【請求項１】
医療器材ごとに固有の固有識別子が付された医療器材を品目に分類するための分類テーブルをデータとして記憶したコンピュータ読み取り可能な記憶媒体であって、
前記分類テーブルは、
品目ごとに固有であるとともに、品目に属する医療器材に共通した品目識別子と、
前記品目識別子に対応付けられているとともに品目に属する医療器材の固有識別子と、から構成されている記憶媒体。
【請求項２】
医療器材をセットにグループ分けするためのセット情報テーブルを更に記憶した請求項１に記載の記憶媒体であって、
前記セット情報テーブルは、
セットごとに固有のセット識別子と、
前記セット識別子に対応付けられるとともに、セットに属する品目の品目識別子と、から構成されている記憶媒体。
【請求項３】
請求項１に記載の記憶媒体を読み込み可能なコンピュータに、
所定の医療器材に付された固有識別子を取得する取得処理と、
前記分類テーブルを参照して、前記取得処理により取得した固有識別子と同一の固有識別子に対応する品目識別子を特定する特定処理と、を実行させるプログラム。
【発明の詳細な説明】
【技術分野】
【０００１】
本発明は、コンピュータ読み取り可能な記憶媒体及びプログラムに関する。
【背景技術】
【０００２】
患者に対し手術や処置などの医療行為を実施する際には、複数の医療器材を使用することが一般的である。
【０００３】
医療行為を実施するにあたり、使用する複数の医療器材を効率よく準備するために医療器材をデータベース化して管理する方法が知られている。たとえば、特許文献１には、医療行為に使用される器具をデータベース化して記憶する記憶装置が開示されている。
【先行技術文献】
【特許文献】
【０００４】
【特許文献１】特開２００２−３６９７８７号公報
【発明の概要】
【発明が解決しようとする課題】
【０００５】
ところで、医療行為に使用する医療器材を正確に管理する必要がある。この管理には、医療器材を品目に分類するとともに、品目ごとに品目名称と医療器材の数量とを対応付けて記載した用紙を利用して、医療器材を管理することが一般的である。ところが、同じ病院内でも、同一品目であるのに、診療科目ごと或いは医師ごとに品目名称が異なることがある。また、同一品目に属する範囲が病院内で統一されていないこともある。そのため、診療科目・医師ごとに必要な品目を必要な個数だけ準備してしまうと、病院全体としては、必要数以上の医療器材を在庫として準備してしまうことになってしまう。
【０００６】
そこで、本発明は上記事情に鑑みてなされたものであり、本発明が解決しようとする課題は、品目ごとの医療器材の分類を正確に管理できるようにすることである。
【課題を解決するための手段】
【０００７】
上記目的を達成するための主たる発明は、医療器材ごとに固有の固有識別子が付された医療器材を品目に分類するための分類テーブルをデータとして記憶したコンピュータ読み取り可能な記憶媒体であって、前記分類テーブルは、品目ごとに固有であるとともに、品目に属する医療器材に共通した品目識別子と、前記品目識別子に対応付けられているとともに品目に属する医療器材の固有識別子と、から構成されている記憶媒体である。
【０００８】
本発明の他の特徴については、後述する明細書及び図面の記載により明らかにする。
【発明の効果】
【０００９】
本発明によれば、コンピュータを利用して、品目ごとの医療器材の分類を正確に管理できるようになる。
【図面の簡単な説明】
【００１０】
【図１】図１は、ネットワークシステムの構成を示した図面である。
【図２】図２は、サーバシステムの構成を示した図面である。
【図３】図３は、分類テーブルのデータ構成を模式的に示した図面である。
【図４】図４は、セット情報テーブルのデータ構成を模式的に示した図面である。
【図５】図５は、医療器材ごとに積算される払出回数及び未使用回数をデータとして記録した状態を模式的に示した図面である。
【図６】図６は、品目ごとに積算される払出総数及び未使用総数をデータとして記録した状態を模式的に示した図面である。
【図７】図７は、セットごとに積算される払出回数及び未使用回数をデータとして記録した状態を模式的に示すとともに、セット・品目ごとに積算される払出総数及び未使用総数を模式的に示した図面である。
【図８】図８は、払出数履歴データの構成を示した図面である。
【図９】図９は、未使用数履歴データの構成を示した図面である。
【図１０】図１０は、クライアントシステムの構成を示した図面である。
【図１１】図１１は、セットの払出の際の管理システムの処理の流れを示したフローチャートである。
【図１２】図１２は、セットの払出の際の表示画面を示した図面である。
【図１３】図１３は、医療行為後の管理システムの処理の流れを示したフローチャートである。
【図１４】図１４は、医療行為後の表示画面を示した図面である。
【図１５】図１５は、集計時の表示画面を示した図面である。
【発明を実施するための形態】
【００１１】
後述する明細書及び図面の記載から、少なくとも以下の事項が明らかとなる。
【００１２】
医療器材ごとに固有の固有識別子が付された医療器材を品目に分類するための分類テーブルをデータとして記憶したコンピュータ読み取り可能な記憶媒体であって、前記分類テーブルは、品目ごとに固有であるとともに、品目に属する医療器材に共通した品目識別子と、前記品目識別子に対応付けられているとともに品目に属する医療器材の固有識別子と、から構成されている記憶媒体が明らかとなる。
【００１３】
以上の記憶媒体によれば、同一品目に属する医療器材の固有識別子に共通の品目識別子が対応付けられてなる分類テーブルが記憶媒体に記憶されているので、コンピュータがこの分類テーブルを参照すれば、固有識別子から品目識別子を特定できたり、品目識別子から固有識別子を特定できたりする。そのため、コンピュータを利用して、品目ごとの医療器材の分類を正確に管理できるようになる。
【００１４】
好ましくは、前記記憶媒体は、医療器材をセットにグループ分けするためのセット情報テーブルを更に記憶し、前記セット情報テーブルは、セットごとに固有のセット識別子と、前記セット識別子に対応付けられるとともに、セットに属する品目の品目識別子と、から構成されている。
【００１５】
以上によれば、異なるセットの間で同一品目の医療器材を交換したものとしても、コンピュータが分類テーブル及びセット情報テーブルを参照して、交換後の医療器材も同一品目に属すると認識することができる。そのため、コンピュータを利用して、セット・品目ごとの医療器材のグループ分け・分類を正確に管理できるようになる。
【００１６】
好ましくは、プログラムは、前記記憶媒体を読み込み可能なコンピュータに、所定の医療器材に付された固有識別子を取得する取得処理と、前記分類テーブルを参照して、前記取得処理により取得した固有識別子と同一の固有識別子に対応する品目識別子を特定する特定処理と、を実行させる。
【００１７】
以上によれば、医療器材が属する品目をコンピュータに認識させることができる。
【００１８】
＝＝＝実施形態＝＝＝
以下、図面を参照して、本発明の実施形態について説明する。但し、以下に述べる実施形態には、本発明を実施するために技術的に好ましい種々の限定が付されているが、本発明の範囲を以下の実施形態及び図示例に限定するものではない。
【００１９】
＜１．システム＞
図１に示すように、管理システム１は、サーバシステム２、複数のクライアントシステム６及び通信ネットワーク９を備える。クライアントシステム６はネットワーク９を介してサーバシステム２と通信可能となっている。クライアントシステム６はデスクトップ型、ノートブック型又はタブレット型のコンピュータシステムである。クライアントシステム６は携帯可能なコンピュータシステムでもよいし、据置型のコンピュータシステムでもよい。サーバシステム２はタワー型、デスクトップ型、ラックマウント型又はブレード型のコンピュータシステムである。通信ネットワーク９は、イントラネット、ローカルエリアネットワーク（ＬＡＮ）、インターネット等である。
【００２０】
この管理システム１は、保管場所から処置場所に払い出された（運ばれた）医療器材が医療行為において使用されたか否かを管理するためのシステムである。具体的には、管理システム１は、医療器材が保管場所から処置場所に払い出されたにもかかわらず、使用されなかった回数を積算するためのシステムである。
【００２１】
＜２．病院内の医療器材＞
病院内の処置場所とは、手術、投薬、治療、検査その他の医療行為が行われる場所をいい、例えば処置室、手術室、医療室又は検査室等をいう。処置場所にはクライアントシステム６が設けられている。サーバシステム２は、処置場所がある病院内に設けられてもよいし、サーバ管理会社等の病院外に設けられていてもよい。
【００２２】
医療器材とは、例えば内視鏡、超音波プローブ、鉗子、剪刃、メス、メスホルダー、カニューレ、鑷子、開創器、スケール、ゾンデ、エレバ、ラスパ、吸引管、開胸器、閉胸器、持針器、注射器、金属ボール、膿盆、コップ、ピン、ミラー、やすり、開口器、クレンメ、ハンドピース、エレパトリューム、ノミ、鋭匙、剥離子、鏡、縫合針、スタンツェ、受水器、針、圧子、ブジー、通気管、骨片打ち込み棒、リウエル、ラジオペンチ、ハンマー、角度計、穿孔器、スポイト、金属綿棒、浣腸器、シリンジ等の器材である。
【００２３】
各医療器材には、それぞれに固有の固有識別子が付されている。例えば、固有識別子を表す二次元コード、一次元コード、マーク、数値、模様又は画像等が医療器材に記されていたり、固有識別子を表す情報を格納したＲＦタグが医療器材に設けられていたりする。
【００２４】
医療器材は品目に分類されるが、品目毎の固有の識別子は医療器材に付されていない。
同一品目に属する範囲は任意である。例えば、異なる製造業者の医療器材（それらの用途及び機能が同一）が同一品目と見なされることもある。また、同一用途・同一機能の医療器材でもサイズ、形状又は色等が異なれば、異品目とみなされることもある。また、同一品目に属する医療器材でも、器材名称が異なることもある。なお、医療器材の品目分類は、後述の分類テーブル２７，６７（図２、図３及び図１０参照）によって定義されたものである。
【００２５】
保管場所から処置場所に払い出される医療器材はグループに分けられており、グループを構成する医療器材の集合体をセットという。つまり、セットには複数の医療器材が属している。セットに属する医療器材は、例えば、収納体（例えばトレイ、収納篭、収納箱、収納袋又は収納容器等）に寄せ集められた状態で、或いは組み立てられた状態で処置場所に払い出される。
【００２６】
各セットには、それぞれに固有のセット識別子が付されている。例えば、セット識別子を表す二次元コード、一次元コード、マーク、数値、模様又は画像等がセットに記されていたり、固有識別子を表すデータを格納したＲＦタグがセットに設けられていたりする。セットにセット識別子が付されるとは、セットに属する一部又は全ての医療器材にセット識別子が付されること、セットに属する医療器材が寄せ集められた収納体にセット識別子が付されること、セットに属する医療器材の組体にセット識別子が付されること等をいう。
【００２７】
なお、保管場所では、医療器材がセットに分けられた状態で保管されてもよいし、品目に分けられた状態で保管されてもよい。後者の場合、作業者が医療器材をピッキングしてセットに纏めた状態で処置場所に払い出す。
【００２８】
処置場所に払い出された医療器材は、使用・未使用にかかわらず、医療行為後に回収・洗浄・滅菌された後に保管場所に戻される。そのため、医療器材は再利用される。
【００２９】
＜３．サーバシステム＞
図２に示すように、このサーバシステム２はサーバ２１、記憶装置２２、表示装置２３、入力装置２４及び通信ユニット２５を備える。
【００３０】
サーバ２１は、ＣＰＵ、ＧＰＵ、ＲＯＭ、ＲＡＭ、バス及びハードウェアインタフェース等を有するコンピュータである。記憶装置２２は、サーバ２１にとって読み書き可能な半導体メモリ又はハードディスクドライブ等からなる記憶装置である。表示装置２３は、画面表示を行うディスプレイ装置である。入力装置２４は、タッチパネル、スイッチ、キーボード、ポインティングデバイス、ＲＦＩＤリーダ、一次元コードリーダ、二次元コードリーダ等の入力装置である。通信ユニット２５は、ネットワークアダプタ（例えば、ネットワークインターフェースカード、無線ＬＡＮ子機）である。
【００３１】
記憶装置２２には、医療器材を品目に分類するための分類テーブル２７が格納されている。図３は分類テーブル２７の構成例を示す図である。分類テーブル２７は、品目ごとに固有の品目識別子２７ａと、品目識別子２７ａに対応付けられるとともに品目名称を表す品目名称情報２７ｂと、品目識別子２７ａに対応付けられるとともに品目に属する医療器材の固有識別子２７ｃと、から構成されている。品目識別子２７ａは、それに対応付けられた固有識別子２７ｃの何れにも共通した共通ＩＤである。固有識別子２７ｃと同一の固有識別子を付された医療器材は、固有識別子２７ｃに対応付けられた品目識別子２７ａの品目に属することを意味する。なお、同一の医療器材が異なる品目に属することがないので、同一の固有識別子２７ｃが異なる品目識別子２７ａに対応付けられることはない。
【００３２】
サーバ２１が以上のような分類テーブル２７を参照すれば、固有識別子２７ｃから品目識別子２７ａを特定できたり、品目識別子２７ａから固有識別子２７ｃを特定できたりする。そのため、サーバ２１を利用して、品目ごとの医療器材の分類を正確に管理できるようになる。
【００３３】
また、記憶装置２２には、セットに属する品目の組合せを表すセット情報テーブル２８が格納されている。図４はセット情報テーブル２８の構成例を示す図である。セット情報テーブル２８は、セットごとに固有のセット識別子２８ａと、セット識別子２８ａに対応付けられるとともにセットの名称を表すセット名称情報２８ｂと、セット識別子２８ａに対応付けられるとともにセットに属する品目の品目識別子２８ｃと、セット識別子２８ａ及び品目識別子２８ｃに対応付けられるとともに品目の名称を表す品目名称情報２８ｄと、セット識別子２８ａ及び品目識別子２８ｃに対応付けられるとともにセット及び品目に属した医療器材の個数を表す個数情報２８ｅと、から構成されている。なお、同一の品目が異なるセットに属する場合もあるので、同一の品目識別子２８ｃが異なるセット識別子２８ａに対応付けられる場合もある。
【００３４】
サーバ２１が以上のようなセット情報テーブル２８を参照すれば、品目識別子２８ｃからセット識別子２８ａを特定できたり、セット識別子２８ａから品目識別子２８ｃを特定できたりする。そのため、サーバ２１を利用して、セットごとの品目のグループ分けを管理できるようになる。また、セット情報テーブル２８においてセット識別子２８ａに品目識別子２８ｃが対応付けられており、分類テーブル２７において品目識別子２７ａに固有識別子２７ｃが対応付けられているので、異なるセットの間で同一品目の医療器材を交換したものとしても、サーバ２１が分類テーブル２７及びセット情報テーブル２８を参照して、交換後の医療器材も同一品目に属すると認識することができる。
【００３５】
記憶装置２２には、サーバ２１により実行可能なプログラム２９が格納されている。
【００３６】
記憶装置２２には、医療器材ごとの払出回数を表す払出回数情報３１が後述のステップＳ６５の処理（図１１参照）によって記録・更新される。また、記憶装置２２には、医療器材ごとの未使用回数（払い出されたにもかかわらず、使用されなかった回数）を表す未使用回数情報３２が後述のステップＳ７５の処理（図１３参照）によって記録・更新される。払出回数情報３１及び未使用回数情報３２は現在における積算値であり、払出回数情報３１及び未使用回数情報３２の初期値はゼロである。図５に示すように、払出回数情報３１及び未使用回数情報３２は、医療器材ごとに固有の固有識別子３３に対応付けられるようにして記憶装置２２に記録・更新される。
【００３７】
記憶装置２２には、品目ごとの払出総数（品目に属する医療器材の払出総数）を表す払出総数情報３４が後述のステップＳ６３の処理（図１１参照）によって記録・更新される。また、記憶装置２２には、品目ごとの未使用総数（品目に属する医療器材が払い出されたにもかかわらず、使用されなかった医療器材の総数）を表す未使用総数情報３５が後述のステップＳ７３の処理（図１３参照）によって記録・更新される。払出総数情報３４及び未使用総数情報３５は現在における積算値であり、払出総数情報３４及び未使用総数情報３５の初期値はゼロである。図６に示すように、払出総数情報３４及び未使用総数情報３５は、品目ごとに固有の品目識別子３６に対応付けられるようにして記憶装置２２に記録・更新される。
【００３８】
記憶装置２２には、セットごとの払出回数を表す払出回数情報４１が後述のステップＳ６２の処理（図１１参照）によって記録・更新される。また、記憶装置２２には、セットごとの未使用回数（払い出されたにもかかわらず、使用されなかった回数）を表す未使用回数情報４２が後述のステップＳ７６の処理（図１３参照）によって記録・更新される。払出回数情報４１及び未使用回数情報４２は現在における積算値であり、払出回数情報４１及び未使用回数情報４２の初期値はゼロである。図７に示すように、払出回数情報４１及び未使用回数情報４２は、セットごとに固有のセット識別子４５に対応付けられるようにして記憶装置２２に記録・更新される。
【００３９】
記憶装置２２には、セットに属する品目ごとの払出総数を表す払出総数情報４３が後述のステップＳ６４の処理（図１１参照）によって記録・更新される。また、記憶装置２２には、セットに属する品目ごとの未使用総数（そのセット・品目に属する医療器材が払い出されたにもかかわらず、使用されなかった医療器材の総数）を表す未使用総数情報４４が後述のステップＳ７４の処理（図１３参照）によって記録・更新される。払出総数情報４３及び未使用総数情報４４は現在における積算値であり、未使用総数情報４４の初期値はゼロである。図７に示すように、払出総数情報４３及び未使用総数情報４４は、セット識別子４５及び品目識別子４６に対応付けられるようにして記憶装置２２に記録・更新される。
【００４０】
ここで、払出総数情報４３の値は、品目識別子４６の品目に属する医療器材がセット識別子４５のセットに属した状態で払い出された総数（積算値）である。それに対して、払出総数情報３４の値は、払い出された全セットの中で、品目識別子３６の品目に属する医療器材が払い出された総数（積算値）である。従って、同一の品目識別子４６に対応付けられた払出総数情報４３の値の総和は、その品目識別子４６と同一の品目識別子３６に対応付けられた払出総数情報３４の値に等しい。未使用総数情報３５と未使用総数情報４４についても同様であり、同一の品目識別子４６に対応付けられた未使用総数情報４４の値の総和は、その品目識別子４６と同一の品目識別子３６に対応付けられた未使用総数情報３５の値に等しい。
【００４１】
記憶装置２２には、払出数履歴データ５１が後述のステップＳ６６の処理（図１１参照）によって記録される。図８に示すように、払出数履歴データ５１は、セットの払出１回当たりの品目ごとの医療器材の払出数を表す払出数情報５１ａと、その払出数を計数した時刻を表すカウント時刻情報５１ｂと、セット識別子５１ｃと、品目識別子５１ｄと、ユーザＩＤ５１ｅとを相互に対応付けたものである。なお、時刻は日単位、時間単位、分単位若しくは秒単位であるか、秒よりも小さい単位である。
【００４２】
また、記憶装置２２には、未使用数履歴データ５２が後述のステップＳ７６の処理（図１３参照）によって記録される。図９に示すように、未使用数履歴データ５２は、セットの払出１回当たりの品目ごとの医療器材の未使用数を表す未使用数情報５２ａと、その未使用数を計数した時刻を表すカウント時刻情報５２ｂと、セット識別子５２ｃと、品目識別子５２ｄと、ユーザＩＤ５２ｅとを相互に対応付けたものである。なお、時刻は日単位、時間単位、分単位若しくは秒単位であるか、秒よりも小さい単位である。
【００４３】
これらの情報３１，３２，３４，３５，４１〜４４やデータ５１，５２がクライアントシステム６の後述の記憶装置６２に記録・更新されてもよい（図１０参照）。
【００４４】
＜４．クライアントシステム＞
図１０に示すように、クライアントシステム６はクライアント６１、記憶装置６２、表示装置６３、入力装置６４及び通信ユニット６５を備える。
【００４５】
クライアント６１は、ＣＰＵ、ＧＰＵ、ＲＯＭ、ＲＡＭ、バス及びハードウェアインタフェース等を有するコンピュータである。記憶装置６２は、クライアント６１にとって読み書き可能な半導体メモリ又はハードディスクドライブ等からなる記憶装置である。表示装置６３は、画面表示を行うディスプレイ装置である。入力装置６４は、タッチパネル、スイッチ、キーボード、ポインティングデバイス、ＲＦＩＤリーダ、一次元コードリーダ、二次元コードリーダ等の入力装置である。通信ユニット６５は、ネットワークアダプタ（例えば、ネットワークインターフェースカード、無線ＬＡＮ子機）である。
【００４６】
記憶装置６２には、クライアント６１により実行可能なプログラム６９が格納されている。
【００４７】
また、記憶装置６２には、分類テーブル６７及びセット情報テーブル６８が格納されている。分類テーブル６７はサーバシステム２の記憶装置２２に格納された分類テーブル２７が同期されたものであり、セット情報テーブル６８は記憶装置２２に格納されたセット情報テーブル２８が同期されたものである。従って、分類テーブル６７は、図３に示す分類テーブル２７と同様に、互いに対応付けられた品目識別子２７ａ、品目名称情報２７ｂ及び固有識別子２７ｃから構成されている。また、セット情報テーブル６８は、図４に示すセット情報テーブル２８と同様に、互いに対応付けられたセット識別子２８ａ、セット名称情報２８ｂ、品目識別子２８ｃ、品目名称情報２８ｄ及び個数情報２８ｅから構成される。ここで、クライアント６１がサーバ２１に要求することで、分類テーブル２７（又は分類テーブル６７と分類テーブル２７の差分）がサーバ２１からクライアント６１に転送されることによって、記憶装置６２の分類テーブル６７が記憶装置２２の分類テーブル２７に同期される。セット情報テーブル２８，６８についても同様である。なお、サーバ２１及びクライアント６１の同期機能はプログラム２９，６９によって実現される。
【００４８】
＜５．払出数の計数機能、払出回数・払出総数の積算機能＞
医療器材の払出時における管理システム１の使用方法について説明する。併せて、図１１を参照して、管理システム１の使用の際においてプログラム２９がサーバ２１に実行させる処理の流れについて説明するとともに、プログラム６９がクライアント６１に実行させる処理の流れについて説明する。
【００４９】
まず、作業者が保管場所から処置場所にセットを払い出す。以下の説明において、処理場所に払い出したセットを所定セットといい、所定セットに属する医療器材を所定器材といい、所定セットに属する品目を所定品目という。
【００５０】
次に、作業者は処置場所のクライアントシステム６の入力装置６４を操作して、自身のユーザＩＤ及びパスワードにより管理システム１にログインする。そうすると、クライアント６１が表示装置６３にセット識別子入力画面（セット選択画面）を表示させる（ステップＳ１）。
【００５１】
その後、作業者が、所定セットのセット識別子を入力装置６４により入力したり、幾つかの選択肢の中から所定セットの名称若しくはセット識別子を選択したりする。これにより、クライアント６１は、入力装置６４からの入力信号に従ったセット識別子を取得する（ステップＳ２）。なお、入力装置６４は前述したようにタッチパネル、スイッチ、キーボード、ポインティングデバイス、ＲＦＩＤリーダ、一次元コードリーダ、二次元コードリーダ等であり、入力装置６４の種類に応じた操作によってセット識別子の入力・選択がなされる。
【００５２】
次に、クライアント６１が、所定セットのセット識別子をサーバ２１に送信することによって、所定セットの情報をサーバ２１に要求する（ステップＳ３）。そうすると、サーバ２１は、セット情報テーブル２８を参照して、所定セットのセット識別子と同一のセット識別子２８ａに対応付けられたセット名称情報２８ｂ、品目識別子２８ｃ、品目名称情報２８ｄ及び個数情報２８ｅを読み取って、クライアント６１に送信する（ステップＳ６１）。一方、クライアント６１は、セット名称情報２８ｂ、品目識別子２８ｃ、品目名称情報２８ｄ及び個数情報２８ｅを受信して取得する（ステップＳ４）。なお、セット情報テーブル２８と同一のセット情報テーブル６８が記憶装置６２に同期されているので、クライアント６１がステップＳ３のような要求をすることなく、記憶装置６２のセット情報テーブル６８を参照してもよい。つまり、クライアント６１は、所定セットのセット識別子と同一のセット識別子２８ａに対応付けられたセット名称情報２８ｂ、品目識別子２８ｃ、品目名称情報２８ｄ及び個数情報２８ｅを記憶装置６２のセット情報テーブル６８から読み取ってもよい。
【００５３】
次に、クライアント６１は、取得したセット名称情報２８ｂ、品目識別子２８ｃ、品目名称情報２８ｄ及び個数情報２８ｅに従って、図１２に示すような画面を表示装置６３に表示させる（ステップＳ５）。画面中のセット名称表示部９１には、セット名称情報２８ｂに従ったセット名称が表示される。画面中のリスト表示部９２には、品目名称情報２８ｄに従った品目名称と、個数情報２８ｅに従った個数とが対応付けられた状態で表示される。具体的には、リスト表示部９２の中の品目名称表示部９２ａには品目名称が表示され、品目名称表示部９２ａの右側の個数表示部９２ｂには個数が表示される。従って、作業者は、画面を見ながら、払い出した所定セットの内容（例えば、品目ごとの医療器材の個数）をチェックすることができる。
【００５４】
一方、サーバシステム２においては、サーバ２１が、所定セットのセット識別子（クライアント６１から受信したセット識別子）と同一のセット識別子４５に対応付けられた払出回数情報４１（図２及び図７参照）の値に１を加算して、その払出回数情報４１をセット識別子４５に対応付けて記憶装置２２に更新記録する（ステップＳ６２）。従って、所定セットの払出回数がカウントアップされ、更新記録された払出回数情報４１の値は積算値となる。なお、クライアント６１がステップＳ６２の処理を行ってもよい。つまり、ステップＳ２後に、クライアント６１が所定セットのセット識別子に対応付けられた記憶装置６２の払出回数情報４１（図１０参照）の値に１を加算して、その払出回数情報４１を記憶装置６２に更新記録してもよい。
【００５５】
その後、作業者が、所定医療器材の固有識別子を入力装置６４により順次入力する。これにより、クライアント６１は、入力装置６４からの入力信号に従った固有識別子を順次取得するとともに、取得した固有識別子を所定セットのセット識別子と対応付けて順次サーバ２１に送信する（ステップＳ６）。
【００５６】
そして、サーバ２１は、クライアント６１から固有識別子を受信する毎に、何れかの品目識別子３６に対応付けられた払出総数情報３４（図２及び図６参照）の値に１を加算する（ステップＳ６３）。具体的には、固有識別子の受信の度に、サーバ２１は、分類テーブル２７を参照して、受信した固有識別子と同一の固有識別子２７ｃに対応付けられた品目識別子２７ａを特定し、その品目識別子２７ａと同一の品目識別子３６に対応付けられた払出総数情報３４の値に１を加算する（ステップＳ６３）。このような処理が最後の固有識別子の受信まで繰り返し行われ、最後の固有識別子の受信に伴う加算後に、積算された払出総数情報３４がサーバ２１によって記憶装置２２に更新記録される。従って、所定品目ごとに所定医療器材の払出総数がカウントアップされ、更新記録された払出総数情報３４の値は積算値となる。なお、クライアント６１がステップＳ６３の処理を行ってもよい。つまり、最後の固有識別子の取得までの間（ステップＳ６参照）、クライアント６１が、固有識別子の取得の度に、分類テーブル６７を参照して、取得した固有識別子と同一の固有識別子２７ｃに対応付けられた品目識別子２７ａを特定し、その品目識別子２７ａと同一の品目識別子３６に対応付けられた記憶装置６２の払出総数情報３４（図１０参照）の値に１を加算してもよい。
【００５７】
また、サーバ２１は、クライアント６１から固有識別子を受信する毎に、何れかのセット識別子４５・品目識別子４６に対応付けられた払出総数情報４３（図２及び図７参照）の値に１を加算する（ステップＳ６４）。具体的には、固有識別子の受信の度に、サーバ２１は、分類テーブル２７を参照して、受信した固有識別子と同一の固有識別子２７ｃに対応付けられた品目識別子２７ａを特定し、その品目識別子２７ａと同一の品目識別子４６及び受信した所定セットのセット識別子と同一のセット識別子４５に対応付けられた払出総数情報４３の値に１を加算する（ステップＳ６４）。このような処理が最後の固有識別子の受信まで繰り返し行われ、最後の固有識別子の受信に伴う加算後に、積算された払出総数情報４３がサーバ２１によって記憶装置２２に更新記録される。従って、所定品目ごとに所定医療器材の払出総数がカウントアップされ、更新記録された払出総数情報４３の値は積算値となる。なお、クライアント６１がステップＳ６４の処理を行ってもよい。つまり、最後の固有識別子の取得までの間（ステップＳ６参照）、クライアント６１が、固有識別子の取得の度に、分類テーブル６７を参照して、取得した固有識別子と同一の固有識別子２７ｃに対応付けられた品目識別子２７ａを特定し、その品目識別子２７ａと同一の品目識別子４６及び所定セットのセット識別子と同一のセット識別子４５に対応付けられた払出総数情報４３（図１０参照）の値に１を加算してもよい。
【００５８】
また、サーバ２１が、クライアント６１から受信した固有識別子と同一の固有識別子３３に対応付けられた払出回数情報３１（図２及び図５参照）の値に１を加算して、その払出回数情報３１を記憶装置２２に更新記録する（ステップＳ６５）。従って、所定セットに属する所定医療器材の払出回数がカウントアップされ、更新記録された払出回数情報３１の値は積算値となる。なお、クライアント６１がステップＳ６５の処理を行ってもよい。つまり、クライアント６１が、固有識別子の取得（ステップＳ６）の後に、取得した固有識別子と同一の固有識別子３３に対応付けられた払出回数情報３１の値に１を加算して、その払出回数情報３１を記憶装置６２に更新記録してもよい。
【００５９】
また、上述のように固有識別子の受信の度に、分類テーブル２７の参照によって、受信した固有識別子と同一の固有識別子２７ｃに対応付けられた品目識別子２７ａが特定されるが、サーバ２１は、品目識別子２７ａごとに、最初の固有識別子の受信から最後の固有識別子の受信までに品目識別子２７ａを特定した回数を計数する。このような品目識別子２７ａごとの計数値は、品目ごとの医療器材の払出数である。そして、サーバ２１は、図８に示すように、その計数値を表す払出数情報５１ａと、最後に固有識別子を受信した時刻を表すカウント時刻情報５１ｂと、クライアント６１から受信したセット識別子と同一のセット識別子５１ｃと、特定した品目識別子２７ａと同一の品目識別子５１ｄと、ログインしたユーザのユーザＩＤ５１ｅとを相互に対応付けて記憶装置２２に記録する（ステップＳ６６）。ここで、ステップＳ６６において記録された払出数情報５１ａなどは、図１１に示す処理１回当たりの履歴であり、図１１に示す処理が複数回行われることによって払出数情報５１ａなどが蓄積されて、それらが払出数履歴データ５１となる。
なお、クライアント６１がステップＳ６６の処理を行ってもよい。つまり、クライアント６１が、品目識別子２７ａごとに、最初の固有識別子の取得から最後の固有識別子の取得までに品目識別子２７ａを特定した回数を計数してもよい。この場合、クライアント６１が、払出数情報５１ａとカウント時刻情報５１ｂとセット識別子５１ｃと品目識別子５１ｄとユーザＩＤ５１ｅとを互いに対応付けて記憶装置６２の払出数履歴データ５１として蓄積する。
【００６０】
＜５−１．変形例＞
上述の実施例では、作業者が所定医療器材の固有識別子を入力装置６４により順次入力することによって（ステップＳ６参照）、サーバ２１又はクライアント６１において所定品目ごとの払出総数情報３４，４３の値がカウントアップされ（ステップＳ６３、ステップＳ６４参照）、所定品目ごとの払出数情報５１ａが記録される（ステップＳ６６参照）。
【００６１】
それに対して、作業者が所定セットに属する所定品目ごとに所定医療器材の個数を計数し、所定品目ごとの計数値を入力装置６４により入力してもよい。例えば、図１２に示す画面において、作業者が入力装置６４を操作することによって、数え上げた計数値の回数だけ品目名称表示部９２ａを選択（例えば、クリック、タップ）したり、品目名称表示部９２ａを１回選択した上で計数値を数値入力したりすると、入力した計数値が品目名称表示部９２ａの左側の払出個数表示部９２ｃに表示される。これにより、クライアント６１は、入力装置６４からの入力信号に従った計数値を所定品目ごとに取得する。そして、クライアント６１は、取得した計数値を品目識別子（ステップＳ４で取得した品目識別子２８ｃと同一）及びセット識別子（ステップＳ２で取得したセット識別子と同一）に対応付けてサーバ２１に送信する。その後、サーバ２１が、クライアント６１から受信した品目識別子と同一の品目識別子３６（図６参照）に対応付けられた払出総数情報３４（図２及び図６参照）の値に計数値を加算して、加算後の払出総数情報３４を記憶装置２２に更新記録する。更に、サーバ２１は、クライアント６１から受信した品目識別子・セット識別子と同一の品目識別子４６・セット識別子４５（図７参照）に対応付けられた払出総数情報４３（図２及び図７参照）の値に計数値を加算し、加算後の払出総数情報４３を記憶装置２２に更新記録する。
【００６２】
更に、サーバ２１は、クライアント６１から受信した計数値を表す払出数情報５１ａと、クライアント６１から計数値を受信した時刻を表すカウント時刻情報５１ｂと、クライアント６１から受信したセット識別子と同一のセット識別子５１ｃと、クライアント６１から受信した品目識別子と同一の品目識別子５１ｄと、ログインしたユーザＩＤ５１ｅとを相互に対応付けて、記憶装置２２に記録する。
【００６３】
なお、クライアントシステム６においても、クライアント６１が、品目名称表示部９２ａの品目名称に対応する品目識別子と同一の品目識別子３６に対応付けられた払出総数情報３４（図１０参照）の値に計数値（入力装置６４による入力値）を加算して、加算後の払出総数情報３４を記憶装置６２に更新記録してもよい。更に、クライアント６１が、表示部９１，９２ａの名称に対応するセット識別子・品目識別子と同一の品目識別子４６・セット識別子４５に対応付けられた払出総数情報４３（図１０参照）の値に計数値（入力装置６４による入力値）を加算し、加算後の払出総数情報４３を記憶装置６２に更新記録してもよい。更に、クライアント６１が、計数値（入力装置６４による入力値）を表す払出数情報５１ａと、計数値を入力した時刻を表すカウント時刻情報５１ｂと、セット名称表示部９１のセット名称に対応するセット識別子と同一のセット識別子５１ｃと、品目名称表示部９２ａの品目名称に対応する品目識別子と同一の品目識別子５１ｄと、ログインしたユーザＩＤ５１ｅとを相互に対応付けて、記憶装置６２に記録してもよい。
【００６４】
＜６．未使用数の計数機能、未使用回数・未使用総数の積算機能＞
医療器材が処置場所に払い出された後、医師等がそれらの医療器材を用いて処置（手術、投薬、治療、検査等の医療行為）を行う。その処置後における管理システム１の使用方法について説明する。併せて、図１３を参照して、管理システム１の使用の際においてプログラム２９がサーバ２１に実行させる処理の流れについて説明するとともに、プログラム６９がクライアント６１に実行させる処理の流れについて説明する。
【００６５】
まず、作業者は、処置場所にある医療器材を使用済みと未使用に分別しながら回収する。以下の説明において、回収した医療器材を回収器具といい、回収器具が属する品目を回収品目といい、回収器具が属するセットを回収セットという。また、回収器具のうち使用した医療器材を使用済み器具といい、使用しなかった医療器材を未使用器具という。
セットに属する全ての医療器材が未使用又は使用済みであることもあれば、セットに属する一部の医療部材が未使用であることもある。そこで、作業者は、セットに属する全ての医療器材が未使用又は使用済みであるか否かをチェックする。
【００６６】
次に、作業者は処置場所のクライアントシステム６の入力装置６４を操作して、自身のユーザＩＤ及びパスワードにより管理システム１にログインする。そうすると、クライアント６１が表示装置６３にセット識別子入力画面（セット選択画面）を表示させる（ステップＳ１１）。
【００６７】
その後、作業者が、回収セットのセット識別子を入力装置６４により入力したり、幾つかの選択肢の中からセット識別子又は名称を選択したりする。これにより、クライアント６１は、入力装置６４からの入力信号に従ったセット識別子を取得する（ステップＳ１２）。
【００６８】
次に、クライアント６１が、回収セットのセット識別子をサーバ２１に送信することによって、回収セットの情報をサーバ２１に要求する（ステップＳ１３）。そうすると、サーバ２１は、セット情報テーブル２８を参照して、回収セットのセット識別子と同一のセット識別子２８ａに対応付けられたセット名称情報２８ｂ、品目識別子２８ｃ、品目名称情報２８ｄ及び個数情報２８ｅを読み取って、クライアント６１に送信する（ステップＳ７１）。一方、クライアント６１は、セット名称情報２８ｂ、品目識別子２８ｃ、品目名称情報２８ｄ及び個数情報２８ｅを受信して取得する（ステップＳ１４）。なお、クライアント６１がステップＳ１３のような要求をすることなく、記憶装置６２のセット情報テーブル６８を参照してもよい。つまり、クライアント６１は、回収セットのセット識別子と同一のセット識別子２８ａに対応付けられたセット名称情報２８ｂ、品目識別子２８ｃ、品目名称情報２８ｄ及び個数情報２８ｅを記憶装置６２のセット情報テーブル６８から読み取ってもよい。
【００６９】
次に、クライアント６１は、取得したセット名称情報２８ｂ、品目識別子２８ｃ、品目名称情報２８ｄ及び個数情報２８ｅに従って、図１４に示すような画面を表示装置６３に表示させる（ステップＳ１５）。画面中のセット名称表示部９３には、セット名称情報２８ｂに従ったセット名称が表示される。画面中のリスト表示部９４には、品目名称情報２８ｄに従った品目名称と、個数情報２８ｅに従った個数とが対応付けられた状態で表示される。具体的には、リスト表示部９４の中の品目名称表示部９４ａには品目名称が表示され、品目名称表示部９４ａの右側の個数表示部９４ｂには個数が表示される。
【００７０】
その後、作業者が、未使用器材の固有識別子を入力装置６４により順次入力する。これにより、クライアント６１は、入力装置６４からの入力信号に従った固有識別子を順次取得するとともに、取得した固有識別子を回収セットのセット識別子と対応付けて順次サーバ２１に送信する（ステップＳ１６）。
【００７１】
そして、サーバ２１は、クライアント６１から固有識別子を受信する毎に、何れかの品目識別子３６に対応付けられた未使用総数情報３５（図２及び図６参照）の値に１を加算する（ステップＳ７３）。具体的には、固有識別子の受信の度に、サーバ２１は、分類テーブル２７を参照して、受信した固有識別子と同一の固有識別子２７ｃに対応付けられた品目識別子２７ａを特定し、その品目識別子２７ａと同一の品目識別子３６に対応付けられた未使用総数情報３５の値に１を加算する。このような処理が最後の固有識別子の受信まで繰り返し行われ、最後の固有識別子の受信に伴う加算後に、積算された未使用総数情報３５がサーバ２１によって記憶装置２２に更新記録される。従って、回収品目ごとに未使用器材の総数がカウントアップされ、更新記録された未使用総数情報３５の値は積算値となる。なお、クライアント６１がステップＳ７３の処理を行ってもよい。つまり、最後の固有識別子の取得までの間（ステップＳ１６参照）、クライアント６１が、固有識別子の取得の度に、分類テーブル６７を参照して、取得した固有識別子と同一の固有識別子２７ｃに対応付けられた品目識別子２７ａと同一の品目識別子３６の未使用総数情報３５（図１０参照）の値に１を加算してもよい。
【００７２】
また、サーバ２１は、クライアント６１から固有識別子を受信する毎に、何れかのセット識別子４５と品目識別子４６とに対応付けられた未使用総数情報４４（図２及び図７参照）の値に１を加算する（ステップＳ７４）。具体的には、固有識別子の受信の度に、サーバ２１は、分類テーブル２７を参照して、受信した固有識別子と同一の固有識別子２７ｃに対応付けられた品目識別子２７ａを特定し、その品目識別子２７ａと同一の品目識別子４６及び受信した所定セットのセット識別子と同一のセット識別子４５に対応付けられた未使用総数情報４４の値に１を加算する（ステップＳ７４）。このような処理が最後の固有識別子の受信まで繰り返し行われ、最後の固有識別子の受信に伴う加算後に、積算された未使用総数情報４４がサーバ２１によって記憶装置２２に更新記録される。従って、回収セットに属する回収品目ごとに回収器材の未使用総数がカウントアップされ、更新記録された未使用総数情報４４の値は積算値となる。なお、クライアント６１がステップＳ７４の処理を行ってもよい。つまり、最後の固有識別子の取得までの間（ステップＳ１６参照）、クライアント６１が、固有識別子の取得の度に、記憶装置６２の分類テーブル６７を参照して、取得した固有識別子と同一の固有識別子２７ｃに対応付けられた品目識別子２７ａを特定し、その品目識別子２７ａと同一の品目識別子４６及び所定セットのセット識別子と同一のセット識別子４５に対応付けられた未使用総数情報４４（図１０参照）の値に１を加算してもよい。
【００７３】
また、サーバ２１が、クライアント６１から受信した固有識別子と同一の固有識別子３３に対応付けられた未使用回数情報３２（図５参照）の値に１を加算して、その未使用回数情報３２を記憶装置２２に更新記録する（ステップＳ７５）。従って、回収器材の未使用回数がカウントアップされ、更新記録された未使用回数情報３２の値は積算値となる。なお、クライアント６１がステップＳ７５の処理を行ってもよい。つまり、クライアント６１が、固有識別子の取得（ステップＳ１６）の後に、取得した固有識別子と同一の固有識別子３３に対応付けられた未使用回数情報３２（図１０参照）の値に１を加算して、その未使用回数情報３２を記憶装置６２に更新記録してもよい。
【００７４】
また、上述のように固有識別子の受信の度に、分類テーブル２７の参照によって、受信した固有識別子と同一の固有識別子２７ｃに対応付けられた品目識別子２７ａが特定されるが、サーバ２１は、品目識別子２７ａごとに、最初の固有識別子の受信から最後の固有識別子の受信までに品目識別子２７ａを特定した回数を計数する。このような品目識別子２７ａごとの計数値は、品目ごとの医療器材の未使用数である。そして、サーバ２１は、図９に示すように、その計数値を表す未使用数情報５２ａと、最後の固有識別子を受信した時刻を表すカウント時刻情報５２ｂと、クライアント６１から受信したセット識別子と同一のセット識別子５２ｃと、特定した品目識別子２７ａと同一の品目識別子５１ｄと、ログインしたユーザのユーザＩＤ５１ｅとを相互に対応付けて記憶装置２２に記録する（ステップＳ７６）。ここで、ステップＳ７６において記録された未使用情報５２ａなどは、図１３に示す処理１回当たりの履歴であり、図１３に示す処理が複数回行われることによって未使用数情報５２ａなどが蓄積されて、それらが未使用数履歴データ５２となる。
なお、クライアント６１がステップＳ７６の処理を行ってもよい。つまり、クライアント６１が、品目識別子２７ａごとに、最初の固有識別子の取得から最後の固有識別子の取得までに品目識別子２７ａを特定した回数を計数してもよい。この場合、クライアント６１が、未使用数情報５２ａとカウント時刻情報５２ｂとセット識別子５２ｃと品目識別子５２ｄとユーザＩＤ５２ｅとを互いに対応付けて記憶装置６２の未使用数履歴データ５２として蓄積する。
【００７５】
続いて、セットに属する全ての医療器材が未使用である場合には、作業者が回収セットのセット識別子を入力装置６４により入力したり、幾つかの選択肢の中からセット識別子又は名称を選択したりする。これにより、クライアント６１は、入力装置６４からの入力信号に従ったセット識別子を取得して、サーバ２１に送信する（ステップＳ１７）。そうすると、サーバ２１が、回収セットのセット識別子（クライアント６１から受信したセット識別子）と同一のセット識別子４５に対応付けられた未使用回数情報４２（図２及び図７参照）の値に１を加算して、その未使用回数情報４２をセット識別子４５に対応付けて記憶装置２２に更新記録する（ステップＳ７７）。なお、クライアントシステム６においても、クライアント６１が回収セットのセット識別子に対応付けられた未使用回数情報４２（図１０参照）の値に１を加算して、その未使用回数情報４２を記憶装置６２に更新記録してもよい。
【００７６】
＜６−１．変形例＞
上述の実施例では、作業者が所定医療器材の固有識別子を入力装置６４により順次入力することによって（ステップＳ１６参照）、サーバ２１又はクライアント６１において所定品目ごとの未使用総数情報３５，４４の値がカウントアップされ（ステップＳ７３、ステップＳ７４参照）、所定品目ごとの未使用数情報５２ａが記録される（ステップＳ７６）。
【００７７】
それに対して、作業者が所定セットに属する所定品目ごとに所定医療器材の個数を計数し、所定品目ごとの計数値を入力装置６４により入力してもよい。例えば、図１４に示す画面において、作業者が入力装置６４を操作することによって、数え上げた計数値の回数だけ品目名称表示部９４ａを選択（例えば、クリック、タップ）したり、品目名称表示部９４ａを１回選択した上で計数値を数値入力したりすると、入力した計数値が品目名称表示部９４ａの左側の未使用数表示部９４ｃに表示される。これにより、クライアント６１は、入力装置６４からの入力信号に従った計数値を所定品目ごとに取得する。そして、クライアント６１は、取得した計数値を品目識別子（ステップＳ１４で取得した品目識別子２８ｃと同一）及びセット識別子（ステップＳ１２で取得したセット識別子と同一）に対応付けてサーバ２１に送信する。その後、サーバ２１が、クライアント６１から受信した品目識別子と同一の品目識別子３６（図６参照）に対応付けられた未使用総数情報３５（図２及び図６参照）の値に計数値を加算して、加算後の未使用総数情報３５を記憶装置２２に更新記録する。更に、サーバ２１は、クライアント６１から受信した品目識別子・セット識別子と同一の品目識別子４６・セット識別子４５（図７参照）に対応付けられた未使用総数情報４４（図２及び図７参照）の値に計数値を加算し、加算後の未使用総数情報４４を記憶装置２２に更新記録する。
【００７８】
更に、サーバ２１は、クライアント６１から受信した計数値を表す未使用数情報５２ａと、クライアント６１から計数値を受信した時刻を表すカウント時刻情報５２ｂと、クライアント６１から受信したセット識別子と同一のセット識別子５２ｃと、クライアント６１から受信した品目識別子と同一の品目識別子５２ｄと、ログインしたユーザＩＤ５２ｅとを相互に対応付けて、記憶装置２２に記録する。
【００７９】
なお、クライアントシステム６においても、クライアント６１が、品目名称表示部９４ａの品目名称に対応する品目識別子と同一の品目識別子３６に対応付けられた未使用総数情報３５（図１０参照）の値に計数値（入力装置６４による入力値）を加算して、加算後の未使用総数情報３５を記憶装置６２に更新記録してもよい。更に、クライアント６１が、表示部９３・表示部９４ａの名称に対応するセット識別子・品目識別子と同一の品目識別子４６・セット識別子４５に対応付けられた未使用総数情報４４（図１０参照）の値に計数値（入力装置６４による入力値）を加算し、加算後の未使用総数情報４４を記憶装置６２に更新記録してもよい。更に、クライアント６１が、計数値（入力装置６４による入力値）を表す未使用数情報５２ａと、計数値を入力した時刻を表すカウント時刻情報５２ｂと、セット名称表示部９３のセット名称に対応するセット識別子と同一のセット識別子５２ｃと、品目名称表示部９４ａの品目名称に対応する品目識別子と同一の品目識別子５２ｄと、ログインしたユーザＩＤ５２ｅとを相互に対応付けて、記憶装置６２に記録してもよい。
【００８０】
＜７．未使用率の計算＞
以上のような管理システム１の機能によって、医療器材ごとに払出回数及び未使用回数が集計され（図５参照）、品目ごとに払出総数や未使用総数が集計され（図６参照）、セットごと・品目ごとに払出総数や未使用総数が集計され（図７参照）、払出数及び未使用数の履歴が蓄積される（図８，図９参照）。この管理システム１は、集計した情報３１，３２，３４，３５，４１，４２，４３，４４やデータ５１，５２を利用して、未使用率を計算する機能を有する。具体的には、次の通りである。
【００８１】
サーバ２１が、固有識別子３３ごとに、未使用回数情報３２の値を払出回数情報３１の値で除することにより未使用率を計算する。計算された未使用率は、医療器材ごとの未使用率である。その後、サーバ２１は、固有識別子３３ごとの計算結果を固有識別子３３に対応付けた状態で表示装置２３に表示させる。
【００８２】
また、サーバ２１が、品目識別子３６ごとに、未使用総数情報３５の値を払出総数情報３４の値で除することにより未使用率を計算する。計算された未使用率は、品目ごとの未使用率である。その後、サーバ２１は、品目識別子３６ごとの計算結果を品目識別子３６又は品目名称（品目名称は、分類テーブル２７を参照して、品目名称情報２７ｂとして取得されたもの）に対応付けた状態で表示装置２３に表示させる。
【００８３】
また、サーバ２１が、セット識別子４５ごとに、未使用回数情報４２の値を払出回数情報４１の値で除することにより未使用率を計算する。計算された未使用率は、セットごとの未使用率である。その後、サーバ２１は、セット識別子４５ごとの計算結果をセット識別子４５又はセット名称（セット名称は、セット情報テーブル２８を参照して、セット名称情報２８ｂとして取得されたもの）に対応付けた状態で表示装置２３に表示させる。
【００８４】
また、サーバ２１が、セット識別子４５・品目識別子４６ごとに、未使用総数情報４４の値を払出総数情報４３の値を除することにより未使用率を計算する。計算された未使用率は、セットごと且つ品目ごとの品目の未使用率である。その後、サーバ２１は、セット識別子４５・品目識別子４６ごとの計算結果を品目識別子４６又は品目名称（品目名称は、セット情報テーブル２８を参照して、品目名称情報２８ｄとして取得されたもの）及びセット識別子４５又はセット名称（セット名称は、セット情報テーブル２８を参照して、セット名称情報２８ｂとして取得されたもの）に対応付けた状態で表示装置２３に表示させる。
【００８５】
また、サーバ２１が、払出数履歴データ５１を読み取って、同一の品目識別子５１ｄに対応付けられた払出数情報５１ａの値を積算する。更に、サーバ２１が、未使用数履歴データ５２を読み取って、同一の品目識別子５２ｄに対応付けられた未使用数情報５２ａの値を積算する。そして、サーバ２１は、同一の品目識別子５１ｄ，５２ｄについて、未使用数情報５２ａの積算値を払出数情報５１ａの積算値で除することにより未使用率を計算する。計算された未使用率は、品目ごとの未使用率である。その後、サーバ２１は、同一の品目識別子５１ｄ，５２ｄごとの計算結果を品目識別子５１ｄ，５２ｄ又は品目名称（品目名称は、セット情報テーブル２８を参照して、品目名称情報２８ｄとして取得されたもの）に対応付けた状態で表示装置２３に表示させる。
【００８６】
また、サーバ２１が、払出数履歴データ５１を読み取って、同一のセット識別子５１ｃ且つ同一の品目識別子５１ｄに対応付けられた払出数情報５１ａの値を積算する。更に、サーバ２１が、未使用数履歴データ５２を読み取って、同一のセット識別子５２ｃ且つ同一の品目識別子５２ｄに対応付けられた未使用数情報５２ａの値を積算する。そして、サーバ２１は、同一のセット識別子５１ｃ，５２ｄ且つ同一の品目識別子５１ｄ，５２ｄについて、未使用数情報５２ａの積算値を払出数情報５１ａの積算値で除することにより未使用率を計算する。計算された未使用率は、セットごと・品目ごとの品目の未使用率である。その後、サーバ２１は、同一の品目識別子５１ｄ，５２ｄごとの計算結果を品目識別子５１ｄ，５２ｄ又は品目名称（品目名称は、セット情報テーブル２８を参照して、品目名称情報２８ｄとして取得されたもの）及びセット識別子５１ｃ，５２ｄ又はセット名称（セット名称は、セット情報テーブル２８を参照して、セット名称情報２８ｂとして取得されたもの）に対応付けた状態で表示装置２３に表示させる。
【００８７】
各計算結果の表示態様は、例えば数字（テキスト）、記号、マーク、模様又はインジゲータ等である。図１５は計算結果の表示画面の一例である。図１５に示すように、画面中のセット名称表示部９６には、セット識別子４５に対応したセット名称（セット名称は、セット情報テーブル２８を参照して、セット名称情報２８ｂとして取得されたもの）が表示される。また、品目名称表示部９７には、品目識別子４６に対応した品目名称（品目名称は、セット情報テーブル２８を参照して、品目名称情報２８ｄとして取得されたもの）が表示される。品目名称表示部９７の右側の未使用率表示部９８には、未使用総数情報４４の値を払出総数情報４３の値を除することにより得られた未使用率（１００分率）がインジゲータで表示される。品目名称表示部９７の左側の個数表示部９９には、セット・品目に属する医療器材の個数（異数は、セット情報テーブル２８を参照して、個数情報２８ｅとして取得されたもの）が表示される。
【００８８】
なお、上述のように未使用率がサーバ２１によって計算された上で、計算結果がクライアント６１に送信され、クライアント６１が計算結果を表示装置６３に表示させてもよい。或いは、サーバ２１が未使用率を計算するのと同様にしてクライアント６１が記憶装置６２の情報３１，３２，３４，３５，４１〜４４やデータ５１，５２を読み取って未使用率を計算し、クライアント６１が計算結果を表示装置６３に表示させてもよい。
【００８９】
＜８．効果・利点＞
以上の実施の形態によれば、次のような効果が得られる。
【００９０】
（１）  分類テーブル２７が記憶装置２２に記憶されているので、サーバ２１を利用して、品目ごとの医療器材の分類を正確に管理できるようになる。また、セット情報テーブル２８が記憶装置２２に記憶されているので、サーバ２１を利用してセットごとの品目のグループ分けを正確に管理できるようになる。また、異なるセットの間で同一品目の医療器材を交換したものとしても、サーバ２１による管理に影響を及ばさない。
よって、品目ごとの医療器材の分類を病院内で統一することができ、病院全体として過剰な医療器材の在庫を防止することができる。
【００９１】
（２）  図５に示すように医療器材ごとに未使用回数（積算値）が記憶装置２２や記憶装置６２に記憶されるので（ステップＳ７５参照）、医療器材ごとの未使用回数を容易且つ正確に管理することができる。
【００９２】
（３）  図６に示すように品目ごとに医療器材の未使用総数（積算値）が記憶装置２２や記憶装置６２に記録されるので（ステップＳ７５）、品目ごとの未使用総数を容易且つ正確に管理することができる。
【００９３】
（４）  図７に示すようにセットごとに未使用回数（積算値）が記憶装置２２や記憶装置６２に記録されるので（ステップＳ７７）、セットごとの未使用回数を容易且つ正確に管理することができる。
【００９４】
（５）  図７に示すようにセット・品目ごとの医療器材の未使用総数（積算値）が記憶装置２２や記憶装置６２に記録されるので（ステップＳ７４）、セット・品目ごとの未使用総数を容易且つ正確に管理することができる。
【００９５】
（６）  各払出の品目ごとの医療器材の未使用数が未使用数履歴データ５２の履歴として時刻及びユーザＩＤに対応づけられて記憶装置２２や記憶装置６２に蓄積されるので、何時・誰が医療器材の未使用数を数えたのかを把握することができる。
【００９６】
＜９．変形例＞
以上、本発明を実施するための形態について説明したが、上記実施形態は本発明の理解を容易にするためのものであり、本発明を限定して解釈するためのものではなく、本発明にはその等価物も含まれる。また、本発明はその趣旨を逸脱することなく変更、改良され得る。
【００９７】
（１）  上記実施形態では、未使用回数、未使用数及び未使用総数を計数したが、使用済み回数、使用済み数及び使用済み総数を計数してもよい。この場合、以上の実施形態の説明は、使用済み器具及び未使用器具の定義（回収器具のうち使用した医療器材を使用済み器具といい、使用しなかった医療器材を未使用器具という）を除いて、「未使用」を「使用済み」と読み替え、「使用済み」を「未使用」と読み替える。
【００９８】
（２）  上記実施形態では、分類テーブル２７，６７は、医療器材が医療行為において使用されたか否かを管理するための管理システム１の記憶装置２２，６２に記憶されていた。それに対して、病院に導入された管理システム（品目に分類された医療器材を管理するためのシステム）であれば、どのような管理システムであっても分類テーブル２７，６７を適用することができ、そのような管理システムを構成するコンピュータが読み取り可能な記憶装置に分類テーブル２７，６７が記憶されている。セット情報テーブル２８，６８についても同様である。
分類テーブル２７，６７が記憶装置を読み取り可能なコンピュータは、医療器材が取り扱われる病院内の作業サイクル（払出作業、回収作業、洗浄作業、組立作業、減菌作業及び保管作業）の何れの作業においても、医療器材の管理（医療器材がどの品目に分類されるかを特定するための管理）に利用される。
ここで、病院内の作業サイクルにおいては、医療器材は医療行為後に回収され（回収作業）、その後分解された上で洗浄され（洗浄作業）、その後組み立てられ（組立作業）、その後滅菌され（滅菌作業）、その後保管される（保管作業）。保管された医療器材は再び払い出されて（払出作業）、医療行為で使用されることになる。
【符号の説明】
【００９９】
１…管理システム，  ２…サーバシステム，  ６…クライアントシステム，  ２１…サーバ（コンピュータ），  ２７…分類テーブル，  ２８…セット情報テーブル，  ３２…未使用回数情報，  ３５…未使用総数情報，  ４２…未使用回数情報，  ４４…未使用総数情報，  ５２…未使用数履歴データ，  ２９…プログラム，  ６１…クライアント（コンピュータ），  ６９…プログラム
【図１】
2018036701.tif 000003
【図２】
2018036701.tif 000004
【図３】
2018036701.tif 000005
【図４】
2018036701.tif 000006
【図５】
2018036701.tif 000007
【図６】
2018036701.tif 000008
【図７】
2018036701.tif 000009
【図８】
2018036701.tif 000010
【図９】
2018036701.tif 000011
【図１０】
2018036701.tif 000012
【図１１】
2018036701.tif 000013
【図１２】
2018036701.tif 000014
【図１３】
2018036701.tif 000015
【図１４】
2018036701.tif 000016
【図１５】
2018036701.tif 000017